(57)【要約】      （修正有）【課題】足裏感覚の改善・身体の重心を修正し、身体に負担の無い動きを目指す物であり、運動神経・反射神経の向上、各部位の柔軟性や強化などを目的とする履物を提供する。【解決手段】人体の足裏の動きの重心点を、第１指の付け根の関節部位となる第１基節骨と第１中足骨、第２指の付け根の関節部位となる第２基節骨と第２中足骨の間にあたる部位とし、この部位とトレーニング用履物の裏底面に取り付けられた半円球状体１の頂点とが、ほぼ一致するように、トレーニング用履物の裏底面に半円球状体１を取り付けた。【選択図】図１
2014226399.tif 000002
【特許請求の範囲】
【請求項１】
人体の足部に装着して身体のトレーニングを行うためのトレーニング用履物であって、足部にトレーニング用履物を装着した状態において、人体の足裏の動きの重心点を、第１指の付け根の関節部位となる第１基節骨と第１中足骨、第２指の付け根の関節部位となる第２基節骨と第２中足骨の間にあたる部位と、トレーニング用履物の裏底面に取り付けられた半円球状体の頂点とが、ほぼ一致するように、トレーニング用履物の裏底面に半円球状体を取り付けたことを特徴とするトレーニング用履物。
【請求項２】
前記トレーニング用履物はスリッパ様式の履物又は運動靴様式の履物のいずれか一つであることを特徴とする請求項１に記載のトレーニング用履物。
【請求項３】
前記半円球状体はゴム性素材、軟質性樹脂及び、それらの混合物からなる群から選ばれる少なくとも一つであることを特徴とする請求項１又は請求項２に記載のトレーニング用履物。
【請求項４】
請求項１〜３のいずれか１項に記載のトレーニング用履物を使用したトレーニング方法であって、人体の足部に上記トレーニング用履物を装着して、トレーニング用履物の半円球状体の頂点と人体の足裏の動きの重心点と考えた第１指の第1基節骨と第１中足骨、第２指の第２基節骨と第２中足骨の間の部位とをほぼ一致させるように直立して立脚し、その後、左右の足位置を相互に前後に広げて半円球状体の頂点部に全体重を掛けるように立脚し、次に左右の脚足を前後替えて引き続き立脚し、次に左右の足を前後方向に、しかもその足位置のつま先が一直線上になるように立脚し、次に左右の足を前のステップとは逆になるように前後替えて行い、最後にトレーニング用履物を履いたまま歩行するといったトレーニングを繰り返して行うことを特徴としたトレーニング方法。
【発明の詳細な説明】
【技術分野】
【０００１】
本発明は、足部に装着されて使用されるトレーニング用履物及び方法に関する。より詳しくは、足に履物を履く感覚でトレーニング用履物を装着して、直立立脚と歩行動作を行うことによって、脚部のトレーニングを行うものに関する。
【背景技術】
【０００２】
現代社会の生活習慣において、洋式トイレや椅子とテーブルを使用して、足首や膝などに負担を掛けないような日常生活が定着しており、運動等を心掛けている人以外の人は、日常的に足を踏ん張ったり、あるいは正座をしてしっかりと膝を曲げる等の鍛練を行う人は少数となっている。
このような生活習慣を継続していると、安定の中と思っていても知らぬうちに不安定が起きても自覚することがなく、そのままにしがちになり、色んな所に偏った負担が起き、ついには、身体の不具合が生じ、筋力の低下や硬化を招くことになる。その結果、特に著しい現象として、内股の筋力が弱くなることにより、人体を支える重心が足裏の小指（第５指）側へと外側方向寄りに移るので、Ｏ脚となり、膝痛が起きたり、また上体も不安定となったりして、運動能力や機敏性が損なわれて衰えてしまう結果となる。
【０００３】
人間が動作する時における基本重心点は、図５の黒丸印に示すように第１指と第２指の中間部であって、しかも指の付け根の関節部にあると考え、この基本重心点を鍛えることにより、足裏の小指（第５指）側の外側になっている重心を正常に動作できる重心点に矯正して正常な状態に取り戻そうとするものである。
【０００４】
しかしながら、従来のものは上記した背景のもとに発明されたものとはなっていない（特許文献１、２、３参照）。
【先行技術文献】
【特許文献】
【０００５】
【特許文献１】実用新案登録  第３１１０４５１号  公報
【特許文献２】特開２００２−３０６２０５号  公報
【特許文献３】特開平０９−３０８７０６号  公報
【発明の概要】
【発明が解決しようとする課題】
【０００６】
履物は本来、快適に歩行できるように履物底部裏面は安定性を追求したものである結果、ほとんど平らな形状となっている。従って一旦、身体の不具合が生じた人にとって、従来の履物を使用し続ける限り、正常な状態を取り戻すことは容易なことではない。
また上記した従来のトレーニング機器及びトレーニング方法では、足裏の基本重心点を鍛練するものにはなっていない。
【０００７】
本発明は、このような従来のものが有していないような身体の鍛練機器を使うことによって、身体のバランスを正常に復帰させるようにすることを目的とするものである。
【課題を解決するための手段】
【０００８】
人体の足部に装着して身体のトレーニングを行うためのトレーニング用履物であって、足部にトレーニング用履物を装着した状態において、人体の足裏の動きの重心点の中心部位に相当する部位とトレーニング用履物の裏底部に取り付けられた半円球状体の頂点とがほぼ一致するように、トレーニング用履物の裏底面に半円球状体を取り付ける。
【０００９】
上記トレーニング用履物はスリッパ様式の履物又は、運動靴様式の履物のいずれか一つを使用する。
【００１０】
上記、半円球状体はゴム性素材、軟質性樹脂及び、それらの混合物からなる群から選ばれるいずれか一つを適用する。
【００１１】
上記に記載のトレーニング用履物を使用したトレーニング方法であって、人体の足部に上記トレーニング用履物を装着して、トレーニング用履物の半円球状体の頂点と人体の足裏の動きの重心点とをほぼ一致させるように直立して立脚し、その後、左右の足位置を相互に前後に広げて半円球状体の頂点部に全体重を掛けるように立脚し、次に左右の脚足を前後替えて引き続き立脚し、次に左右の足を前後方向に、しかもその足位置のつま先が一直線上になるように立脚し、次に左右の足を前のステップとは逆になるように前後替えて行う。最後にトレーニング用履物を履いたまま歩行するといったトレーニングを繰り返して行う。
【発明の効果】
【００１２】
トレーニング用履物の下面に半円球という不安定な物を付属させることによって、強制的にアンバランスの状況を作り出すことになり、人間が本来持っている安定を計るという前後左右のバランス感覚を絶えず養うことができるので、人体各部の強化とともに、足首の柔軟性の向上が計れる。
また特にアスリートにとっては、競技の前の準備運動として、動きの重心点の体感把握を習慣付けられるので、運動能力の向上が期待される。
【００１３】
現在、健全で各種症状のない人にとっては、本発明による履物を使用して、体幹トレーニングを繰り返して行うことによって現状の体調を維持することが期待される。
【００１４】
現在、Ｏ脚や膝痛等の症状が起きている人にとっては、本発明による履物を使用して体幹トレーニングを繰り返して行うことによって、現在、足裏の小指（第５指）側の外側に寄りがちになっている人体の動きの重心点を本来の動きの重心点（図５の黒印点）に矯正移行することが可能になるので、日常生活においても矯正移行した状態で行動（歩行）できる。このとこにより、現在の症状の進行の防止、あるいは健全な元の状態に回帰するといったことが期待できる。
【００１５】
その他に、本発明による体幹トレーニングによって、平衡感覚が養われるので、波及効果として、片足立ちの時（靴下やズボン等を履く時など）は可成の安定感が期待でき、また咄嗟の前後左右の動きに対してすぐさま反応できるといった運動神経や、反射神経の鍛練に役立てることが期待される。
【図面の簡単な説明】
【００１６】
【図１】本発明のスリッパ形式による実施形態の側面図
【図２】図１の底面図
【図３】本発明の運動靴形式による実施形態の側面図
【図４】図３の底面図
【図５】足裏の指の付け根の関節と動作する時における重心点との関係を示す図
【図６】本発明による体幹トレーニング方法の説明図
【発明を実施するための形態】
【００１７】
トレーニング用履物の実施形態を図１〜図４に、またトレーニング用履物を使用したときのトレーニング方法について図６に示す。
図１、図２はスリッパ様式によるトレーニング用履物であって、図３、図４は運動靴様式によるトレーニング用履物である。
いずれも人体の足部に装着可能な、一般的なスリッパや運動靴であって、スリッパ様式のものは、スリッパ様式履物の本体底部（２）とスリッパ様式履物の本体上部（３）とによって構成され、更にこのスリッパ様式履物の本体底部（２）の裏面には半円球状体（１）が一体的に取り付けられている。
【００１８】
また、運動靴様式のものは、運動靴様式履物の本体底部（４）と運動靴様式履物の本体上部（５）とによって構成され、更にこの運動靴様式履物の本体底部（４）の裏面には半円球状体（１）が一体的に取り付けられている。
【００１９】
図５は人間が動作する時における、基本重心点（図の黒丸）の位置を示すもので、第１指と第２指の指の付け根の関節中間部にありと考えたものである。
従って、図１〜図４における半円球状体（１）は、この基本重心点と考えた部分を鍛練するために設けてあるものである。
即ち、半円球状体（１）のスリッパ様式履物の本体底部（２）及び、運動靴様式履物の本体底部（４）に対する取り付け位置は、図１、２に示すスリッパ様式のトレーニング用履物や図３、４に示す運動靴様式のトレーニング用履物を人体の足部に装着して直立することにより、丁度、半円球状体（１）の頂部が図５に示す基本重心点とほぼ一致する関係位置に配置されている。
【００２０】
また、半円球状体（１）は、スリッパ様式履物の本体底部（２）及び運動靴様式履物の本体底部（４）に一体して取り付けてあるが、一体化でなくても、接着して取り付けても良い。
また、半円球状体（１）の形状は１／２球体としてあるが、必ずしもこれにこだわるものではなく、より効果的なトレーニング効果を望む人には１／２球体以上でもよく、またより安定したトレーニング効果を望む人には１／２球体以下の形状のいずれであってもよい。今迄の実験結果から半径３．５ｃｍが最適であるが、各個人によっては身長差があることから、足のサイズも異なるので、、半径は２．５ｃｍ〜４．５ｃｍ迄適用してもよい。
【００２１】
また、半円球状体（１）の材質はゴム性素材が最適であるが、軟質性の樹脂等の弾性体であってもよく、反対に硬質性樹脂であってもよい。
【００２２】
比較的に家庭内で生活する割合の多い人にとっては、スリッパあるいは素足での歩行に慣れていると思われるので、スリッパ様式のものを使用して体幹トレーニングするのが望ましく、一方、日常的に靴を履く機会の多い人にとっては靴様式のものを使用して、体幹トレーニングすることが望ましい。
【００２３】
次に、図６を基に本発明によるトレーニング用履物を足部に装着して体幹トレーニングを行う方法について説明する。
先ず、人体の足部にトレーニング用履物を装着させて、足を肩幅くらいに真横に広げ、息を吐きながら集中し、半円球状体（１）部を真上から足裏で押すようにして、真っ直ぐ姿勢を正して、半円球状体（１）の頂点部のみが接地するように直立姿勢を取り、両手を真上に上げる。この時身体のバランスが崩れても足位置を動かさずに、両手や体全体を使いながら、バランスを保ち続ける。（図６の（ａ））
【００２４】
次に、左右の足を相互に前後に広げ、膝を曲げ、腰を落として上体を真っ直ぐに上に起こして息を吐きながら立脚し、両手を真横にしながら半円球状体（１）を真上から足裏で押すようにして、半円球状体（１）のみを接地させるように立脚し、しかも内ももや股関節を内側へ絞るようにして立脚する。この時身体のバランスが崩れても足位置を動かさずに、両手や体全体を使いながらバランスを保ち続ける。（図６の（ｂ））
【００２５】
次に左右の足を前後替えて、前記図６の（ｂ）と同様なトレーニングを行う。（図６の（ｃ））
次に、左右の足を前後方向に、しかもその足位置のつま先が一直線上になるように立脚して、バランスを保ち続ける。（図６の（ｄ））
次に左右の足を前記図６の（ｄ）とは逆になるように前後替えて、前記図６の（ｄ）と同様なトレーニングを行う。（図６の（ｅ））
【産業上の利用可能性】
【００２６】
本発明によるトレーニング用履物は、一般家庭のみならず、健康管理、あるいはリハビリ用施設においても広く使用されるものであって、特にスポーツ分野においても利用できるものである。
【符号の説明】
【００２７】
１、半円球状体
２、スリッパ様式履物の本体底部
３、スリッパ様式履物の本体上部
４、運動靴様式履物の本体底部
５、運動靴様式履物の本体上部
【図１】
2014226399.tif 000003
【図２】
2014226399.tif 000004
【図３】
2014226399.tif 000005
【図４】
2014226399.tif 000006
【図５】
2014226399.tif 000007
【図６】
2014226399.tif 000008